(57)【要約】【課題】原稿載置部よりも大きいブック見開き原稿やシート原稿、または自動搬送装置で搬送される原稿で、原稿の上下左右を交互に反転して読み取る場合に、任意の原稿ページを省略して原稿の画像を読み取ることを可能にした画像形成装置を提供する。【解決手段】原稿載置部（プラテン）２０上に置かれた原稿の各ページを、原稿載置部２０に沿って移動する画像読取部（キャリッジ）３０の反転に伴って、原稿の副走査方向の走査を反転し、これにより、各ページ毎に主走査方向、副走査方向を交互に反転して原稿の読み取りを行う。原稿に含まれる空白（不要画像）ページ等の不要ページの読み取りに際しては、画像読取部３０の反転移動のみを行って、当該不要ページの画像の読み取りを省略する。【選択図】図１
2011049830.tif 000002
【特許請求の範囲】
【請求項１】
原稿読取部を原稿載置部に沿って所定の原稿読取基準位置から第１の移動方向に移動することにより、前記原稿読取部の移動方向と直交する第１の方向で前記原稿載置部に載置された原稿の主走査方向の走査を行うとともに、前記第１の移動方向で該原稿の副走査方向の走査を行って該原稿の画像を読み取り、前記原稿読取部を前記原稿読取基準位置に復帰させるに際して、前記第１の方向と反転する第２の方向で前記原稿載置部に載置された原稿の主走査方向の走査を行うとともに、前記第１の移動方向と反転する第２の移動方向で該原稿の副走査方向の走査を行って該原稿の画像を読み取る画像読取手段と、
前記原稿の特定ページの読み取りの省略を指示する指示手段と、
前記指示手段により指示された前記原稿の特定ページの前記画像読取手段による読み取りに際して、前記原稿読取部の移動のみを制御して、当該特定ページの画像の読み取りを省略する読取省略手段と
を具備する画像形成装置。
【請求項２】
前記指示手段は、
前記画像読取手段による前記原稿の読取開始に先立って読み取りを省略する前記特定ページの指示を行う請求項１記載の画像形成装置。
【請求項３】
前記指示手段は、
前記画像読取手段による前記原稿の読取開始後で、前記特定ページの画像の読み取りの前に、該特定ページの読み取りの省略を指示する請求項１記載の画像形成装置。
【請求項４】
前記画像読取手段による前記原稿の読取開始に先立って、前記原稿読取基準位置を指定する指定手段
を具備し、
前記画像読取手段は、
前記指定手段により指定された前記原稿読取基準位置から前記原稿の画像の読み取りを開始する請求項１記載の画像形成装置。
【請求項５】
前記原稿載置部の近傍に配設され、前記画像読取手段による原稿読取基準位置、原稿の画像の主走査方向、原稿の画像の副走査方向の少なくとも１つを表示する表示手段
を具備する請求項１記載の画像形成装置。
【発明の詳細な説明】
【技術分野】
【０００１】
本発明は、画像形成装置に関する。
【背景技術】
【０００２】
複写処理や印刷処理などを行う画像形成装置においては、出力用紙の無駄を省くために、両面印刷や集約印刷（Ｎ−ＵＰ印刷）などが提供されている。特に、印刷処理においては、印刷設定や画像形成が容易に実現できるために両面印刷や集約印刷の利用が増加している。
【０００３】
しかし、画像読取装置を用いる画像形成出力、例えば、複写処理などで、原稿を１ページ単位で読み取ることが必要な場合に、両面印刷や集約印刷を利用する場合は、原稿画像の上下左右が交互に反転してしまうという問題があった。
【０００４】
例えば、図７に示すように、２ページが集約されたサイズがＡ３のブック見開き原稿６０をこのサイズより小さいＡ４の用紙８０に複写する場合を考える。
【０００５】
この場合、まず、図８（Ａ）のように、ブック見開き原稿６０を裏返し、画像読取装置１０の原稿載置部（プラテン）２０上の原稿読取基準位置４０に、ブック見開き原稿６０の第１ページ目（Ａの画像部分）の画像６１の右上角を合わせて、第１ページ目の画像６１の複写を行い、次に、図８（Ｂ）のように、原稿載置部（プラテン）２０上のブック見開き原稿６０を反転して、ブック見開き原稿６０の第２ページ目（Ｂの画像部分）の画像６２の左下角を原稿読取基準位置４０に合わせて、第２ページ目の画像６２の複写を行う。
【０００６】
この場合、第１ページ目（Ａの画像部分）の画像６１の複写に際しては、図８（Ａ）に示すように、Ａの画像部分に対して、右から左に主走査が行われ、上から下に副走査が行われて、Ａの画像部分の上部を先頭にした複写画像８１が得られる。しかし、第２ページ目（Ｂの画像部分）の画像６２の複写に際しては、図８（Ｂ）に示すように、Ｂの画像部分に対して、左から右に主走査が行われ、下から上に副走査が行われるので、Ｂの画像部分の下部が先頭となる上下左右が反転した複写画像８２となる。
【０００７】
この問題を解決するために、従来、特許文献１に示すように、読み取り画像データを一旦メモリーへ格納し、上下左右が反転した画像に関しては、この原稿画像データを上下左右を反転して出力装置へ送る構成が提案されている。
【０００８】
また、この問題を解決する他の手法として、特許文献２に示すように、原稿画像の副走査方向の読み取り方向を物理的に逆にし、かつ主走査方向の読み取りの順番を逆転する手法が提案されている。
【０００９】
図９は、原稿画像の副走査方向および主走査方向を反転することにより読み取り原稿画像データの上下左右を交互に反転する構成を説明する図である。
【００１０】
第１ページ目（Ａの画像部分）の画像６１の複写に際しては、図９（Ａ）に示すように、ブック見開き原稿６０を裏返し、画像読取装置１０の原稿載置部（プラテン）２０上の原稿読取基準位置４０に、ブック見開き原稿６０の第１ページ目（Ａの画像部分）の画像６１の右上角を合わせて、第１ページ目６１の複写を行う。
【００１１】
この場合、図８（Ａ）の場合と同様に、第１ページ目の画像６１のＡの画像部分に対しては、右から左に主走査が行われ、上から下に副走査が行われるので、Ａの画像部分の上部を先頭にした複写画像８３が得られる。
【００１２】
第２ページ目（Ｂの画像部分）の画像６２の複写に際しては、原稿載置部（プラテン）２０上のブック見開き原稿６０を反転して、ブック見開き原稿６０の第２ページ目（Ｂの画像部分）の画像６２の左下角を原稿読取基準位置４０に合わせて、第２ページ目の画像６２の複写を行うが、この場合の主走査方向および副走査方向の走査は、図９（Ａ）の場合と反転した方向で行う。
【００１３】
すなわち、第２ページ目の画像６２のＢの画像部分に対して、右から左に主走査が行われ、上から下に副走査が行われる。この結果、図９（Ｂ）に示すように、Ｂの画像部分の上部を先頭にした正常な複写画像８４が得られる。
【００１４】
さて、例えば、図１０に示すように、それぞれ２ページの３枚のブック見開き原稿６００−１、６００−２、６００−３を４ページが１枚に集約された複写画像に複写処理する場合を考える。
【００１５】
ここで、ブック見開き原稿６００−１は、１ページ目の画像６０１がＡの画像部分を含み、２ページ目の画像６０２が空白（不要画像）である。また、ブック見開き原稿６００−２は、３ページ目の画像６０３がＢの画像部分を含み、４ページ目の画像６０４がＣの画像部分を含む。また、ブック見開き原稿６００−３は、５ページ目の画像６０５がＤの画像部分を含み、６ページ目の画像が空白（不要画像）である。
【００１６】
この３枚のブック見開き原稿６００−１、６００−２、６００−３を４ページを１枚に集約する複写処理を行う場合で、ブック見開き原稿６００−１、６００−２、６００−３の各ページの画像を上下左右を交互に反転して読み取り、この読み取った各ページの画像を４ページずつ集約して、４ページが１枚に集約された複写画像を形成する。
【００１７】
すなわち、まず、ブック見開き原稿６００−１、６００−２の１ページから４ページまでのそれぞれの読取画像が１枚に集約されて、複写画像８５が形成され、次に、ブック見開き原稿６００−３の５ページ分の画像を含む４ページ分が１枚に集約されて、複写画像８６が形成される。
【００１８】
しかし、複写画像８５には、ブック見開き原稿６００−１の第２ページ目に対応する空白画像（不要画像）が含まれ、複写画像８６には、ブック見開き原稿６００−３の第６ページ目に対応する空白画像（不要画像）を含む３ページ分の空白画像（不要画像）が含まれる。
【先行技術文献】
【特許文献】
【００１９】
【特許文献１】特開平８−２４９４６０号公報
【特許文献２】特開平１０−３３３３６９号公報
【発明の概要】
【発明が解決しようとする課題】
【００２０】
本発明は、原稿載置部よりも大きいブック見開き原稿やシート原稿、または自動搬送装置で搬送される原稿で、原稿の上下左右を交互に反転して読み取る場合に、任意の原稿ページを省略して原稿の画像を読み取ることを可能にした画像形成装置を提供することを目的とする。
【課題を解決するための手段】
【００２１】
上記目的を達成するため、請求項１の発明の画像形成装置は、原稿読取部を原稿載置部に沿って所定の原稿読取基準位置から第１の移動方向に移動することにより、前記原稿読取部の移動方向と直交する第１の方向で前記原稿載置部に載置された原稿の主走査方向の走査を行うとともに、前記第１の移動方向で該原稿の副走査方向の走査を行って該原稿の画像を読み取り、前記原稿読取部を前記原稿読取基準位置に復帰させるに際して、前記第１の方向と反転する第２の方向で前記原稿載置部に載置された原稿の主走査方向の走査を行うとともに、前記第１の移動方向と反転する第２の移動方向で該原稿の副走査方向の走査を行って該原稿の画像を読み取る画像読取手段と、前記原稿の特定ページの読み取りの省略を指示する指示手段と、前記指示手段により指示された前記原稿の特定ページの前記画像読取手段による読み取りに際して、前記原稿読取部の移動のみを制御して、当該特定ページの画像の読み取りを省略する読取省略手段とを具備する。
【００２２】
請求項２の発明は、請求項１の発明において、前記指示手段は、前記画像読取手段による前記原稿の読取開始に先立って読み取りを省略する前記特定ページの指示を行う。
【００２３】
請求項３の発明は、請求項１の発明において、前記指示手段は、前記画像読取手段による前記原稿の読取開始後で、前記特定ページの画像の読み取りの前に、該特定ページの読み取りの省略を指示する。
【００２４】
請求項４の発明は、請求項１の発明において、前記画像読取手段による前記原稿の読取開始に先立って、前記原稿読取基準位置を指定する指定手段を具備し、前記画像読取手段は、前記指定手段により指定された前記原稿読取基準位置から前記原稿の画像の読み取りを開始する。
【００２５】
請求項５の発明は、請求項１の発明において、前記原稿載置部の近傍に配設され、前記画像読取手段による原稿読取基準位置、原稿の画像の主走査方向、原稿の画像の副走査方向の少なくとも１つを表示する表示手段を具備する。
【発明の効果】
【００２６】
請求項１の発明によれば、原稿載置部よりも大きいブック見開き原稿やシート原稿、または自動搬送装置で搬送される原稿で、原稿の上下左右を交互に反転して読み取る場合に、任意の原稿ページを省略して原稿の交互読み取りを行うことができる。
【００２７】
請求項２の発明によれば、原稿の読取開始に先立って読み取りを省略する特定のページの指示を行うだけで、この特定のページの読み取りを省略した原稿の交互読み取りを行うことができる。
【００２８】
請求項３の発明によれば、原稿の読取開始後の特定のページの読み取り前に読み取りの省略を指示するだけで、この特定のページの読み取りを省略した原稿の交互読み取りを行うことができる。
【００２９】
請求項４の発明によれば、原稿の読取開始に先立って原稿読取基準位置を指定手段により指定するだけで、この指定された原稿読取基準位置からの原稿の交互読み取りを行うことができる。
【００３０】
請求項５の発明によれば、画像読取手段による原稿読取基準位置、原稿の画像の主走査方向、原稿の画像の副走査方向の少なくとも１つを表示手段により利用者に明示的に表示することができる。
【図面の簡単な説明】
【００３１】
【図１】図１は、本発明の画像形成装置による画像形成処理の一例を示す図である。
【図２】図２は、図１に示した画像形成処理を行うための画像読取動作の一例を示す図である。
【図３】図３は、図１に示した画像形成処理を行うための画像読取動作の一例を示す図である。
【図４】図４は、本発明の画像形成装置の反転走査複写動作における設定画面の一例を示す図である。
【図５】図５は、本発明の画像形成装置における反転走査複写処理の一例を示すフローチャートである。
【図６】図６は、本発明の画像形成装置における原稿読取基準位置および原稿の画像の主走査方向および副走査方向の表示の一例を示す図である。
【図７】図７は、本発明の従来技術を説明する図である。
【図８】図８は、本発明の従来技術の問題点を説明する図である。
【図９】図９は、本発明の従来技術の問題点の解決の一例を説明する図である。
【図１０】図１０は、本発明の従来技術の他の問題点を説明する図である。
【発明を実施するための形態】
【００３２】
以下、本発明の一実施例を添付図面を参照して詳細に説明する。
【００３３】
図１は、本発明の画像形成装置における画像形成処理の一例を説明する図である。
【００３４】
図１においては、図１０で説明したそれぞれ２ページの３枚のブック見開き原稿６００−１、６００−２、６００−３を４ページが１枚に集約された複写画像に複写処理する場合を想定している。
【００３５】
なお、ブック見開き原稿６００−１、６００−２、６００−３の読み取りは、各ブック見開き原稿６００−１、６００−２、６００−３を裏返して画像読取部の原稿載置部（プラテン）２０上に、各ページの角が所定の原稿読取基準位置に一致するように順次載置して行われる。ここでの画像読取は、プラテンに沿って移動する、ランプ、画像読取素子、レンズ、ミラーなどを含む周知の画像読取部（キャリッジ）によって行われる。
【００３６】
さて、図１に示したブック見開き原稿６００−１は、１ページ目の画像６０１がＡの画像部分を含み、２ページ目の画像６０２が空白（不要画像）である。また、ブック見開き原稿６００−２は、３ページ目の画像６０３がＢの画像部分を含み、４ページ目の画像６０４がＣの画像部分を含む。また、ブック見開き原稿６００−３は、５ページ目の画像６０５がＤの画像部分を含み、６ページ目の画像が空白（不要画像）である。
【００３７】
この３枚のブック見開き原稿６００−１、６００−２、６００−３から４ページを１枚に集約した集約画像を形成する複写処理が行われる。
【００３８】
ここでは、ブック見開き原稿６００−１、６００−２、６００−３の各ページの画像が上下左右を交互に反転して読み取られるが、ブック見開き原稿６００−１の２ページ目の空白画像（不要画像）６０２、ブック見開き原稿６００−３の６ページ目の空白画像（不要画像）６０６の読み取りに際しては、画像読取部の移動のみが行われ、この空白画像（不要画像）６０２、６０６の読み取りは省略される。この例では、結果として、ブック見開き原稿６００−１の１ページ目のＡの画像部分を含む画像６０１、ブック見開き原稿６０−２の３ページ目のＢの画像部分を含む画像６０３、４ページ目のＣの画像部分を含む画像６０４、ブック見開き原稿６００−３の５ページ目のＤの画像部分を含む画像６０５からなる４ページ分の画像が１枚に集約された複写画像８７が形成される。
【００３９】
図２および図３は、図１に示した複写処理を行う場合の画像読取装置によよる読み取り動作を説明したものである。
【００４０】
図２（Ａ）に示すように、まず、ブック見開き原稿６００−１を裏返し、画像読取装置１０の原稿載置部（プラテン）２０上の原稿読取基準位置４０に、ブック見開き原稿６００−１の１ページ目（Ａの画像部分）の画像６０１の右上角を合わせる。
【００４１】
この状態で、画像読取部（キャリッジ）３０の図示しない画像読取素子の読み取り順番により画像６０１に対する主走査方向の読取走査が行われ、画像読取部３０の移動により画像６０１に対する副走査方向の読取走査が行われる。具体的には、ブック見開き原稿６００−１の１ページ目の画像６０１のＡの画像部分に対しては、右から左に主走査が行われ、上から下に副走査が行われる。
【００４２】
画像読取部３０が画像６０１のサイズに基づく基準位置５０に達すると、ブック見開き原稿６００−１の１ページ目の画像６０１の画像読取が終了し、次に、原稿６００−１の２ページ目の画像６０２の画像読取が開始される。しかし、ここで、原稿６００−１の２ページ目の画像６０２は空白（不要画像）であるので、図２（Ｂ）に示すように、画像読取装置１０は、画像読取部３０を基準位置５０から原稿読取基準位置４０まで復帰移動させる処理のみを行って、原稿６００−１の２ページ目の空白（不要画像）画像６０２の画像読取は省略する。
【００４３】
次に、図２（Ｃ）に示すように、ブック見開き原稿６００−２を裏返し、画像読取装置１０の原稿載置部（プラテン）２０上の原稿読取基準位置４０に、ブック見開き原稿６００−２の３ページ目（Ｂの画像部分）の画像６０３の右上角を合わせる。
【００４４】
この状態で、図２（Ａ）と同様に、画像読取部３０の画像読取素子の読み取り順番により画像６０３に対する主走査方向の読取走査が行われ、画像読取部３０の移動により画像６０３に対する副走査方向の読取走査が行われる。具体的には、ブック見開き原稿６００−２の３ページ目の画像６０３のＢの画像部分に対しては、右から左に主走査が行われ、上から下に副走査が行われる。
【００４５】
画像読取部３０が基準位置５０に達すると、ブック見開き原稿６００−２の３ページ目の画像６０３の画像読取が終了し、次に、原稿６００−２の４ページ目の画像６０４の画像読取が開始される。
【００４６】
原稿６００−２の４ページ目の画像６０４の画像読取は、図２（Ｄ）に示すように、原稿載置部２０上のブック見開き原稿６００−２を反転して、ブック見開き原稿６００−２の４ページ目（Ｃの画像部分）の画像６０４の左下角を原稿読取基準位置４０に合わせる。
【００４７】
この状態で、画像読取部３０の画像読取素子の読み取り順番を反転させることにより画像６０４に対する主走査方向の読取走査を行い、画像読取部３０を基準位置５０から原稿読取基準位置４０まで復帰移動させることにより画像６０４に対する副走査方向の読取走査を行う。すなわち、ブック見開き原稿６００−２の４ページ目（Ｃの画像部分）の画像６０４に対しては、図２（Ａ）または（Ｃ）に示した主走査方向、副走査方向とは反転した方向で画像読取が行われる。その結果、ブック見開き原稿６００−２の４ページ目の画像６０４のＣの画像部分に対しては、図２（Ａ）または（Ｃ）と同様に、右から左に主走査が行われ、上から下に副走査が行われることになる。
【００４８】
画像読取部３０が原稿読取基準位置４０に復帰移動すると、ブック見開き原稿６００−２の４ページ目の画像６０４の読取が終了し、次に、ブック見開き原稿６００−３の５ページ目の画像６０５の読取が行われる。
【００４９】
図３（Ｅ）に示すように、ブック見開き原稿６００−３を裏返し、画像読取装置１０の原稿載置部２０上の原稿読取基準位置４０に、ブック見開き原稿６００−３の５ページ目（Ｄの画像部分）の画像６０５の右上角を合わせる。
【００５０】
この状態で、図２（Ａ）と同様に、画像読取部３０の画像読取素子の読み取り順番により画像６０５に対する主走査方向の読取走査が行われ、画像読取部３０の移動により画像６０５に対する副走査方向の読取走査が行われる。具体的には、ブック見開き原稿６００−３の５ページ目の画像６０５のＤの画像部分に対しては、右から左に主走査が行われ、上から下に副走査が行われる。
【００５１】
画像読取部３０が基準位置５０に達すると、ブック見開き原稿６００−３の５ページ目の画像６０５の画像読取が終了し、次に、原稿６００−３の６ページ目の画像６０６の画像読取が開始される。しかし、ここで、原稿６００−３の６ページ目の画像６０６は空白（不要画像）であるので、図３（Ｆ）に示すように、図２（Ｂ）と同様に、画像読取部３０を基準位置５０から原稿読取基準位置４０まで復帰移動させる処理のみを行って、原稿６００−３の６ページ目の空白（不要画像）画像６０６の画像読取は省略する。
【００５２】
図４は、原稿画像を上下左右を交互に反転して読み取る交互反転走査複写動作における設定画面の一例を示す図である。
【００５３】
図４において、「交互反転走査複写」の表示４００は、図示しないメニュー画面等で「交互反転走査複写」が選択された場合に表示される。
【００５４】
この交互反転走査複写動作における設定画面においては、「通常位置」ボタン４０１若しくは「反転位置」ボタン４０２の選択押下により、原稿の走査開始位置を通常位置、すなわち、原稿読取部３０の走査開始位置を原稿読取基準位置４０から始めるか、反転位置、すなわち、原稿読取部３０の走査開始位置を画像のサイズに基づく基準位置５０から始めるかいずれかを選択指定できる。
【００５５】
また、数字入力欄４０３に画像読取を省略するページの番号を入力することにより、原稿の読み取りに先立って、画像読取を省略するページを指定することができる。
【００５６】
なお、図４では、原稿の２ページ目と６ページ目の画像読取の省略を指定した場合を示しているが、数字入力欄４０３に、例えば、「３−５，１２」と入力することにより、原稿の３ページから５ページおよび１２ページの画像読取を省略するように指定することもできる。
【００５７】
また、交互反転走査複写動作を開始した後は、「ページ走査省略」ボタン４０４を押すことにより、この「ページ走査省略」ボタン４０４を押した直後の原稿のページの画像読取を省略することができる。この「ページ走査省略」ボタン４０４が押されると、次のページの画像読取に際して、画像読取部３０が反対側に移動制御され、この場合の画像読取が省略される。この「ページ走査省略」ボタン４０４の押下によるページ画像読取の省略は、数字入力欄４０３によるページ番号の入力によるページ画像読取の省略と併用することができる。
【００５８】
なお、テンキー４０５は、数字入力欄４０３に対する画像読取を省略するページ番号の入力等に用いられるものであり、ボタン４０７は、入力操作を元に戻す場合、スクロールキー４０７は、入力位置の切換等、ボタン４０８は、入力結果の決定等に際して操作されるものであり、また、「取消」ボタン４０９は、操作の取消、「停止」ボタン４１０は、この交互反転走査複写動作の停止、「開始」ボタン４１１は、この交互反転走査複写動作の開始を指示するものである。
【００５９】
図５は、本発明の画像形成装置における反転走査複写処理の一例を示すフローチャートである。
【００６０】
図５において、この処理が開始されると、まず、複写条件設定入力が行われる（ステップ４０１）。ここで、交互反転走査複写処理における複写条件設定入力は、図４に示した設定画面で行われ、ここでは、例えば、走査開始位置の指定などが設定入力される。
【００６１】
次に、交互反転走査複写が選択されているかが調べられ（ステップ５０２）、ここで、交互反転走査複写が選択されていない場合は（ステップ５０２でＮＯ）、通常の複写制御が行われ（ステップ５０３）、この処理を終了する。
【００６２】
ステップ５０２で、交互反転走査複写が選択されていると判断されると（ステップ５０２でＹＥＳ）、次に、読取省略ページ番号の入力が行われる。この読取省略ページ番号の入力は、図４に示した設定画面で行われる。
【００６３】
次に、原稿読取開始位置および走査方向の表示が行われる（ステップ５０５）。この原稿読取開始位置および走査方向の表示は、図６に示すように、原稿載置部（プラテン）２０の近傍に設けられたＬＥＤ群等から構成される原稿読取基準位置表示部４１、副走査方向表示部７１,７３、主走査方向表示部７２，７４、基準位置表示部５１によって行われる。
【００６４】
図６（Ａ）は、図４に示した設定画面における走査開始位置指定で、「通常位置」が選択され、ブック見開き原稿６０を裏返し、画像読取装置１０の原稿載置部（プラテン）２０上の原稿読取基準位置４０に、ブック見開き原稿６０の第１ページ目（Ａの画像部分）の画像６１の右上角を合わせて、１ページ目の原稿（Ａの画像部分）の画像６１の画像読取を行う場合を示したもので、ここでは、原稿読取基準位置表示部４１が点灯して原稿読取開始位置を示すとともに、副走査方向表示部７１により原稿読取基準位置表示部４１から基準位置表示部５１に向かって副走査が行われ、主走査方向表示部７２により原稿読取基準位置表示部４１から２ページ目の原稿（Ｂの画像部分）側に向かって、主走査が行われることが示されている。
【００６５】
図６（Ｂ）は、原稿載置部（プラテン）２０上のブック見開き原稿６０を反転して、ブック見開き原稿６０の第２ページ目（Ｂの画像部分）の画像６２の左下角を原稿読取基準位置４０に合わせて、第２ページ目（Ｂの画像部分）の画像６２の画像読取を行う場合を示したもので、ここでは、基準位置表示部５１が点灯して原稿読取開始位置を示すとともに、副走査方向表示部７３により基準位置表示部５１から原稿読取基準位置表示部４１に向かって副走査が行われ、主走査方向表示部７４により１ページ目の原稿（Ａの画像部分）側から基準位置表示部５１に向かって、主走査が行われることが示されている。
【００６６】
図５に戻り、次に、図４に示した「開始」ボタン４１１の押下による複写開始指示があるかが調べられる（ステップ５０６）。ここで、複写開始指示がない場合は（ステップ５０６でＮＯ）、ステップ５０６に戻り、複写開始指示を待つが、複写開始指示があると判断されると（ステップ５０６でＹＥＳ）、図示しない白基準板を用いた画像読取部３０の各画像読取素子の補正制御を行う（ステップ５０７）。なお、この実施例の場合、白基準板は、原稿読取基準位置４０にのみ設けられているので、この白基準板を用いた画像読取部３０の各画像読取素子の補正制御は、画像読取部３０が原稿読取基準位置４０にあるタイミングで行われる。
【００６７】
次に、原稿読取開始位置および走査方向の再表示を行って（ステップ５０８）、原稿画像の読取制御を行う（ステップ５０９）。そして、ページ読取省略指示があるかが調べられる（ステップ５１０）。ここでは、図４に示す設定画面で、この交互反転走査複写の開始前に、数字入力欄４０３に画像読取を省略するページの番号を入力することにより指定されたページ読取省略指示若しくは、この交互反転走査複写の開始後に、「ページ走査省略」ボタン４０４の押下により指定されたページ読取省略指示のいずれかの指示がある場合はページ読取省略指示がある（ステップ５１０でＹＥＳ）と判断される。
【００６８】
ステップ５１０で、ページ読取省略指示がある判断されると（ステップ５１０でＹＥＳ）、原稿読取部３０の移動制御のみを行って（ステップ５１１）、該当ページの画像の読取を省略し、ステップ５１２に進む。
【００６９】
また、ステップ５１０で、ページ読取省略指示がない判断された場合は（ステップ５１０でＮＯ）、次に、原稿の読取の終了指示があるかが調べられ（ステップ５１３）、ここで、原稿の読取の終了指示があると判断されると（ステップ５１３でＹＲＳ）、この処理をするが、原稿の読取の終了指示がないと判断されると（ステップ５１３でＮＯ）、この交互反転走査複写処理を続けてステップ５１２に進む。
【００７０】
ステップ５１２では、画像読取素子補正タイミングか、すなわち、画像読取部３０が原稿読取基準位置４０にあるかが調べられる。ここで、画像読取素子補正タイミングであると判断されると（ステップ５１２でＹＥＳ）、白基準板を用いた画像読取部３０の各画像読取素子の補正制御を行って（ステップ５０７）、ステップ５０８に進み、画像読取素子補正タイミングでないと判断されると（ステップ５１２でＮＯ）、ステップ５０８に進み、以下、このステップ５０７から５１３の処理が、ステップ５１３で、原稿の読取の終了指示があると判断される（ステップ５１３でＹＥＳ）まで繰り返される。
【００７１】
以上が本発明の代表的な実施形態の一例であるが、本発明は、上記実施例及び図面に示す実施例に限定することなく、その要旨を変更しない範囲内で適宜変形して実施できるものである。
【符号の説明】
【００７２】
１０    画像読取装置
２０    原稿載置部（プラテン）
３０    画像読取部（キャリッジ）
４０    原稿読取基準位置
４１    原稿読取基準位置表示部
５０    基準位置
５１    基準位置表示部
６０，６００−１〜６００−３    ブック見開き原稿
７１，７３    副走査方向表示部
７２，７４    主走査方向表示部
【図１】
2011049830.tif 000003
【図２】
2011049830.tif 000004
【図３】
2011049830.tif 000005
【図４】
2011049830.tif 000006
【図５】
2011049830.tif 000007
【図６】
2011049830.tif 000008
【図７】
2011049830.tif 000009
【図８】
2011049830.tif 000010
【図９】
2011049830.tif 000011
【図１０】
2011049830.tif 000012